(57)【要約】  開位置または閉位置へ相対的に変位させるためのジョイント（６１、６２；８１、８２；５４、２９）の周囲で連接する二つのかみ合い（１、３）；および前記各かみ合いに連結し、閉位置から開位置への前記二つのかみ合いの変位に対する伸長変形による、前記二つのかみ合いを閉位置に復帰させるための復帰力を発揮する連結部（１１、１２）を含むヘアピンが開示される。本発明によれば、前記ジョイントは、前記二つのかみ合いが閉位置から開位置へ変位し、開位置にある前記二つのかみ合いを復帰させる復帰力が発揮されると、前記連結部（１１、１２）を前記ジョイントに交叉させる通路を備える。好ましくは、前記連結部（１２）は、二つのジョイント支持部（１３１、１５１）で支えられ、前記ジョイント支持部は、二つの足部（１３３、１５３）によって前記かみ合いに固定され、前記足部（１３３、１５３）上方にあるジョイント（Ａ）の方向に延びる二つの頭部（１３５、１５５）によって互いに連接され、閉位置にある前記連結部（１２）を覆う。【選択図】図１
2007505646.tif 000002
【特許請求の範囲】
【請求項１】
開位置または閉位置へ相対的に変位させるためのジョイント（６１、６２；８１、８２；５４、２９）の周囲で連接する二つのかみ合い（１、３）；および
前記二つのかみ合いそれぞれに連結し、前記二つのかみ合いの閉位置から開位置への変位に対する伸長変形による、前記かみ合いを閉位置に復帰させるための復帰力を発揮する連結部（１１、１２）
を含むヘアピンであって、
前記ジョイントは、前記二つのかみ合いが閉位置から開位置へ変位し、開位置にある前記二つのかみ合いを復帰させる復帰力が発揮されると、前記連結部（１１、１２）を前記ジョイントに交叉させる通路を備える
ことを特徴とするヘアピン。
【請求項２】
前記二つのかみ合い（１、３）は、二本の同軸の心棒（６１、６２）、二つの同軸の円筒形の連結部品（８１、８２）、または両側に二つの開口部（５２、５６）が形成された一本の心棒（５４）または一つの円筒形の連結部品により連接され、前記連結部（１１、１２）を、前記二本の同軸の心棒の間、または前記二つの同軸の円筒形の連結部品の間に交叉させる、或いは前記開口部（５２、５６）に変位させることによって、結合用の前記心棒（５４）または前記円筒形の連結部品に交叉させることを特徴とする請求項１に記載のヘアピン。
【請求項３】
開位置または閉位置へ相対的に変位させるためのジョイント（５、５１、２９）の周囲で連接する二つのかみ合い（１、３）；および
前記二つのかみ合いの間に張られ、それらを閉位置に復帰させるための、前記二つのかみ合いの閉位置から開位置への変位に対する伸長変形による復帰力を発揮する連結部（１１）
を含むヘアピンであって、
前記二つのかみ合い（１、３）は、孔（２２、２４）を備え、前記連結部（１１）は、一自由端において前記孔に通され、固定手段によって前記二つのかみ合いに固定される
ことを特徴とするヘアピン。
【請求項４】
前記固定手段は、前記連結部（１１）の自由端に形成される膨出部（１７、１９）または段からなることを特徴とする請求項３に記載のヘアピン。
【請求項５】
前記固定手段は、前記連結部（１１）の自由端を取り付ける付属部分からなることを特徴とする請求項３に記載のヘアピン。
【請求項６】
開位置または閉位置へ相対的に変位させるためのジョイント（５、５４、２９）の周囲で連接する二つのかみ合い（１、３）；および
前記二つのかみ合いの閉位置から開位置への変位に対する伸長変形による、前記二つのかみ合いを閉位置に復帰させるための復帰力を発揮する自己閉鎖連結部（１２）
を含むヘアピンであって、
前記連結部（１２）は、二つのジョイント支持部（１３１、１５１）で支えられ、
前記ジョイント支持部は、二つの足部（１３３、１５３）によって前記かみ合いに固定され、前記足部（１３３、１５３）上方にあるジョイント（Ａ）の方向に延びる二つの頭部（１３５、１５５）によって互いに連接され、閉位置にある前記連結部（１２）を覆う
ことを特徴とするヘアピン。
【請求項７】
前記二つのかみ合い（１、３）は、
前記二つのかみ合いの一方（１）を連接するための、一本の第１の心棒（６１）、一つの第１の円筒形の連結部品（８１）または一対の第１の同軸の心棒（６１、６２）または円筒形の連結部品（８１、８２）；および
前記かみ合いのもう一方（３）を連接するための、一本の第２の心棒（６３）、一つの第２の円筒形の連結部品（８３）または一対の第２の同軸の心棒（６３、６４）または円筒形の連結部品（８３、８４）
を具備するジョイント部分（２９）を介して連接されることを特徴とする請求項１、２、３または６に記載のヘアピン。
【請求項８】
前記連結部（１１、１２）は、前記二つのかみ合いが開位置に変位されている間、前記ジョイント（５、５１、５４、２９）と接触して増大された伸長変形を受ける様に配置されていることを特徴とする請求項３または６に記載のヘアピン。
【請求項９】
前記二つのかみ合い（１、３）は、各々前記かみ合いに固定され、前記ジョイントに対し、前記連結部とは反対の側に配置されている二つのレバーアーム（７、９；７１、９１）によって変位されることを特徴とする請求項１、２、３または６に記載のヘアピン。
【請求項１０】
前記連結部（１１、１２）は、前記ジョイントに対し、前記かみ合い（１、３）の方向にずれていて、閉位置にある前記かみ合いの近傍で髪を把持することを特徴とする請求項１、２、３または６に記載のヘアピン。
【発明の詳細な説明】
【技術分野】
【０００１】
本発明は、ヘアピン（ｐｉｎｃｅ  ａ  ｃｈｅｖｅｕｘ）、特に、開位置または閉位置へ相対的に変位するように連接する二つのかみ合い（ｇｒｉｆｆｅｓ）、および前記二つのかみ合いそれぞれに連結し、前記二つのかみ合いの閉位置から開位置への変位に対する伸長変形による、前記二つのかみ合いを閉位置に復帰させるための復帰力を発揮する連結部を含むヘアピンに関する。
【背景技術】
【０００２】
このタイプのヘアピンと類似性を有する洗濯ばさみが、特許文献１により公知である。連結部は、密に巻かれたコイルバネから成る。各かみ合いは塞がった穴を有し、その一部は、コイルバネの各端をねじ込みによって受け入れる様にねじ山が付されている。この配置に於いて、バネは二つのかみ合いによって隠される。コイルバネの一端は、二つのかみ合いの一つに容易にねじ込まれる。しかし、ジョイントピンの周囲で互いに十分に連接するように二つのかみ合いを合わせると、コイルバネの一端をねじ込むことは最早できないので、他端を他のかみ合いにねじ込むことは更に複雑に思われる。この文献によれば、ねじ込みが完了する迄二つのかみ合いを互いに離して維持し、このコイルバネに引っ張りを加えながら、コイルバネの反対の端に第２のかみ合いをねじ込み、次いで、引張りを緩めて二つのかみ合いを互いに接触させ、ジョイントピンの周囲でそれらを連接することが必要に思われるのは、この理由による。従って、この文献に開示されている洗濯ばさみの組立品は比較的に複雑であり、器用さを必要とする。
【０００３】
特許文献２により公知のヘアピンでは、連結部の位置決めはもっと簡単に思われる。連結部は、自閉性のゴムバンドからなる。それは、ジョイントに対し、各かみ合いの二つのレバーアームの反対側に配置されることにより、二つのかみ合いの周囲にはめ込まれる。しかしこの配置では、連結部は見えてしまう上、ヘアピンが完全に開位置にあっても復帰力を発揮する。換言すれば、ヘアピンを開位置に維持するためには、レバーアームに絶えず力を加えなければならない。ある程度の不満足が使用者に生じ得て、それはヘアピンの開口部の巾が大である程、一層著しくなる。
【０００４】
【特許文献１】英国特許第８２９，６７７号
【特許文献２】米国特許第２，６４１，２６６号
【発明の開示】
【課題を解決するための手段】
【０００５】
本発明の目的の一つは、まさに上に記載した欠点を除去することである。
この目標に照らして、本発明の目的は、開位置または閉位置へ相対的に変位させるためのジョイントの周囲で連接する二つのかみ合い；および
前記二つのかみ合いそれぞれに連結し、前記二つのかみ合いの閉位置から開位置への変位に対する伸長変形による、前記かみ合いを閉位置に復帰させるための復帰力を発揮する連結部
を含むヘアピンであって、
前記ジョイントは、前記二つのかみ合いが閉位置から開位置へ変位し、開位置にある前記二つのかみ合いを復帰させる復帰力が発揮されると、前記連結部を前記ジョイントに交叉させる通路を備える
ことを特徴とするヘアピンである。
【０００６】
連結部がジョイントに交叉する時、それが二つのかみ合いに加える復帰力は、それらを安定な開位置へ維持する。従って、ヘアピンを安定な開位置へ開くことにより、使用者がそれを適当な場所へ置く用意をすることが可能である。この配置によって、最早レバーアームを付与する必要はない。
【０００７】
本発明の更なる目的は、開位置または閉位置へ相対的に変位するように連接する二つのかみ合い；および
前記二つのかみ合いの間に張られ、それらを閉位置に復帰させるための、前記二つのかみ合いの閉位置から開位置への変位に対する伸長変形による復帰力を発揮する連結部
を含むヘアピンであって、
前記二つのかみ合いは、孔（ｐｅｒｃａｇｅｓ）を備え、前記連結部は、一自由端において前記孔に通され、固定手段によって前記二つのかみ合いに固定される
ことを特徴とするヘアピンである。
【０００８】
孔には、連結部の一自由端が通され、次いで二つのかみ合いに固定され、後者は互いに他と連接され、閉位置のヘアピンでは互いに支えあう。その結果、連結部に張力をかけることが簡単になる。更に、二つのかみ合い間に張られた連結部は、特にヘアピンの閉位置で、ジョイントによって隠される。
【０００９】
最後に、本発明は、開位置または閉位置へ相対的に変位させるためのジョイントの周囲で連接する二つのかみ合い；および
前記二つのかみ合いの閉位置から開位置への変位に対する伸長変形による、前記二つのかみ合いを閉位置に復帰させるための復帰力を発揮する自己閉鎖連結部
を含むヘアピンであって、
前記連結部は、二つのジョイント支持部で支えられ、
前記ジョイント支持部は、二つの足部によって前記かみ合いに固定され、前記足部上方にあるジョイントの方向に延びる二つの頭部によって連接され、閉位置にある前記連結部を覆う
ことを特徴とするヘアピンに関する。
【００１０】
本発明の更なる利点は、図面によって下記に示される態様の記載を読むことにより明白になる。
【発明を実施するための最良の形態】
【００１１】
図１〜３は、それぞれ閉位置および開位置に於ける側面図としての、および閉位置に於ける背面図としての、本発明の第１の態様によるヘアピンを示す。これらの図に示されるヘアピンは、心棒、かみ合いに付随した部分であるレバーアーム、および開位置で増大した変形を受け入れるように、かみ合いに対して配置された連結部を有する。
【００１２】
図４〜６は、上記図１〜３に対応し、かみ合いに付随したレバーアームによって特徴付けられるヘアピンに関する。
【００１３】
図７〜９は、上記図１〜３に対応し、弾力性の把持部を有する円筒形の連結部品によって特徴付けられるヘアピンに関する。
【００１４】
図１０〜１２は、図１〜３に対応し、かみ合いに対して、閉位置で使用者の髪を把持するように配置された連結部によって特徴付けられるヘアピンに関する。
【００１５】
図１３〜１５は、図１０〜１２に対応し、レバーアームの省略によって特徴付けられるヘアピンに関する。
【００１６】
図１６〜１８は、それぞれ閉位置および開位置に於ける側面図としての、および閉位置に於ける背面図としての、本発明の第２の態様によるヘアピンを示す。これらの図に示されるヘアピンは、二つの心棒を有するジョイント、開位置でヘアピンを安定させるために二つの心棒の間に造られた通路を経てジョイントに交叉する連結部を有する。
【００１７】
図１９〜２１は、図１６〜１８に対応し、二つの円筒形の連結部品を有するジョイントによって特徴付けられるヘアピンに関する。
【００１８】
図２２〜２４は、図１６〜１８に対応し、ジョイント部分に支えられた２対の同軸の心棒を有する二重ジョイントによって特徴付けられるヘアピンに関する。
【００１９】
図２５は図２４の拡大図である。
【００２０】
図２６は、本発明の第１または第２の態様によるヘアピンのかみ合いへの連結部を固定する手段の詳細を示す断面図である。
【００２１】
図２７および図２８は、本発明の第１または第２の態様によるヘアピンのかみ合いへの連結部を固定する第２の手段のそれぞれ平面図および断面図である。
【００２２】
図２９〜３３は、それぞれ閉位置および開位置に於ける側面図としての、閉位置に於ける背面図としての、開位置に於ける平面図としての、本発明の第３の態様によるヘアピン、および平面図としての、ヘアピンを構成するかみ合いの一つを示す。これらの図に示されるヘアピンは、ジョイント心棒、かみ合いに付随した部分であるレバーアーム、およびかみ合いに対して、閉位置で使用者の髪を把持するように配置された自己閉鎖連結部を有する。
【００２３】
図３４〜３８は、それぞれ閉位置および開位置に於ける側面図としての、閉位置に於ける背面図としての、開位置に於ける上からの図としての、本発明の第４の態様によるヘアピン、および平面図としての、ヘアピンを構成するかみ合いの一つを示す。これらの図に示されるヘアピンは、ジョイント心棒、および開位置でヘアピンを安定させるために、ジョイントと交叉する自己閉鎖連結部を有する。
【００２４】
図３９は、骨組みおよび二つの殻から成るヘアピンの態様を示す。
【００２５】
図１〜２４および２９〜３７に関して、ヘアピンは、開位置へ相対的に変位するように連接する二つのかみ合い１および３を含む。
【００２６】
本発明の第１の態様によれば、図１〜１５の連結部１１は、かみ合い１および３に固定され、それらの間で引っ張られて、それらの変位に対する伸長変形による、それらを閉位置に復帰させるための復帰力を発揮する。
【００２７】
図１および３によって示される態様では、二つのかみ合い１および３は、心棒５（各々かみ合いに固定され、二つの心棒支持部１３および１５によって支えられている）によって連接され、二つのレバーアーム７および９（各々かみ合いに固定されている）によって変位される。連結部１１は、各々かみ合い１または３に固定され、心棒５に対し、レバーアーム７および９の反対側で引っ張られ、必然的にこれらのレバーアームで形成された開口部を通るようにしている。その結果、かみ合いに対するレバーアームの配置は簡素化される。
【００２８】
連結部１１は、かみ合い１および３に形成される切込み２１および２３に受容される膨出部（ｒｅｎｆｌｅｍｅｎｔｓ）１７および１９を備えている。連結部は、膨出部１７および１９を圧縮し、通過断面２２および２４（換言すれば、切込み２１および２３）に開けられた孔に、それらを通すことによって取り付けられる。膨出部１７および１９は、例えば、連結部１１の一端または両端に形成されるくさびまたは膨らみ（ｂｏｕｒｒｅｌｅｔ）と理解される。
【００２９】
膨出部１７および１９を孔２２および２４に通す間の、それらの圧縮を容易にするために、膨出部に凹み、例えば溝穴または空洞を形成することが提供される。図２７および２８では、膨出部を圧縮することなく、単に連結部１１を切込み２１および２３中で回転させることによって、孔を通して連結部を取り付けることも提供され、その結果、膨出部１７および１９が、切込み２１および２３を押す様に、膨出部を孔に通すときの方向に沿った場合に比べ、孔２２および２４が狭くなる方向に沿って配置される。
【００３０】
更に、孔２２および２４は各々、連結部１１の膨出部の通過に適合する第１断面、およびかみ合い１および３に対し膨出部１７および１９を保持するための、後者よりも狭い第２断面を含む。
【００３１】
好ましくは、連結部１１の一端のみに膨出部２１を備え、反対の端を、切込み２１および２３の通過断面２２および２４に圧縮することなく通す。連結部１１のこの端の固定は、固定手段２６、例えば金属製の、例えばＵ型部品により確実にされ、この端は、対応する切込み１９にこの連結部１１を固定するために取り付けられる。更に、Ｕ型部品によって各かみ合いに連結部を固定し、連結部の二つの端を各々対応する切込みに各々維持するために取り付けることも提供される。連結部を固定するこの手段は、図１０〜２５に示され、この最後の図は、連結部の一端を取り付けるＵ型部品の配置の詳細を示す。Ｕ型部品以外の固定部品も、連結部１１をヘアピン（特に金属の留め部品またはクリップ）のかみ合い１または３の各々に固定するのに好適である。
【００３２】
かみ合い１および３の通過断面２２および２４に導入される連結部１１も、連結部の孔に導入される心棒によって、または連結部１１の一端に形成される切込みによって、後者（かみ合い）に固定され、通過断面２２および２４に形成される対応する切込みに受容され得る。通過断面から出現する連結部を、二つのかみ合い１および３にそれを接着し、またはそれを溶着することによって固定することも提供される。
【００３３】
図３で明らかに見られる様に、ジョイント心棒５に対し、レバーアーム７および９の反対側に配置された連結部１１は、特に閉位置に於ける心棒支持部１３および１５によって隠される。最後に、連結部１１の伸長変形は、心棒５に相対的なかみ合い１または３へ対称的に加えられる復帰力を伴う。
【００３４】
図４〜６に示されるヘアピンは、かみ合い１および３に取り付けられたレバーアーム７１および９１によって、上記のものから区別される。
【００３５】
好ましくは、レバーアーム７１および９１は、切込み中の、有利には弾力性の連結部１１を受容する様に設けられた切込み２１および２３中の、突出部２５および２７の弾力性の把持部によって、かみ合いに取り付けられる。この配置によって、切込み中に受容される連結部の固定手段は覆われ、従ってヘアピンの美的特性が高められる。
【００３６】
図７〜９によって示されるヘアピンは、この場合のジョイントは円筒形の連結部品５１によって形成されるという点で上記のそれらから区別される。表示例では、第１円筒５３は、二つのかみ合いの一方１の心棒支持部の一方１３から突出し、他のかみ合い３の他の心棒支持部１５の、くり抜かれた部分を有して形成された第２円筒５５に挿入される。好ましくは、二つのかみ合いの一方１の心棒支持部の一方１３に固定された突出円筒５３は、他のかみ合い３の他の心棒支持部１５中の、くり抜かれた部分を有して形成された第２円筒５５中に、弾力性の把持部によって挿入される。この配置は、ヘアピンの二つのかみ合いが迅速にかつ容易に組み立てられることを可能にする。
【００３７】
図１〜９によって示される態様では、連結部１１は、二つのかみ合いが図２、５または８の開位置へ変位すると、心棒支持部１３および１５によって作られる伸長変形の増加を受ける様に配置される。この配置により、伸長変形は増加されて、閉位置で二つのかみ合いの大きな復帰力を発揮する。
【００３８】
図１０〜１２によって示されるヘアピンは、連結部１１がかみ合い１および３に対し、使用者の髪が閉位置で把持される様に配置されていることによって、図１〜９によって記載されるヘアピンから区別される。これらの図から明白な様に、連結部と閉位置にあるかみ合いの間で髪を把持する様に、連結部は一方のかみ合いおよび他方のジョイントからほぼ等距離に配置されている。この配置により、髪は一層しっかりと把持される。
【００３９】
図１３〜１５によって示されるヘアピンは、レバーアームが省略されたことによって、図１０〜１２によって記載されるヘアピンから区別される。
【００４０】
図１６〜２４によって示される、本発明の第２態様によれば、二つのかみ合い１および３は、二つの同軸の心棒６１および６２により、または二つの同軸の円筒形の連結部品８１および８２により連接され、二つのかみ合いが閉位置から開位置へ変位する時に、連結部１１を同軸の心棒の間、または二つの同軸の円筒形の連結部品の間で通過させ、開位置にある二つのかみ合いを復帰させる復帰力を発揮する。
【００４１】
換言すれば、二つの同軸の心棒または二つの同軸の円筒形の連結部品により形成されたジョイントは、ヘアピンを開く時、連結部を、二つの同軸の心棒または二つの同軸の円筒形の連結部品の連接の方向に垂直にジョイントに交叉させ、その結果、図１８および２１で明らかな様に、開位置でヘアピンを安定させるのである。
【００４２】
この配置により、ヘアピンは、連結部によって開位置に保持され、使用者にそれを髪上でより良い位置に置かせる。位置決め後は、使用者はヘアピンを再び容易に閉位置まで閉じることができる。
【００４３】
二つのかみ合いを、二対の同軸の心棒または二対の同軸の円筒形の連結部品を携えるジョイント部分によって連接することが提供される。ひとつのその様な態様は、第２態様と同様に第１態様にも同様に十分に適用される。
【００４４】
図２２〜２４の第２態様への適用に関して、二つのかみ合い１および３は、ジョイント部分２９（二つのかみ合いの一つである１を連接する第１の一対の同軸の心棒６１、６２、および他のかみ合い３を連接する第２の一対の同軸の心棒６３、６４を携える）によって連接される。２つの対は、連結部１１を図２３の各対の二つの心棒に交叉させる様に、ジョイント部分に配置され、ヘアピンを開位置で安定化させる。ジョイント心棒６１〜６４は各々、ジョイント部分２９の二つの心棒支持部３２および３４および二つのかみ合いの心棒支持部１３および１５の孔２８に、圧力嵌めではめ込まれる。ジョイント部分２９の心棒支持部３２および２４は、二つのかみ合い１および３の心棒支持部１３および１５に形成される対応するハウジング１２および１４に受容される。
【００４５】
第１態様への適用に関しては、ジョイント部分は、二つの平行な心棒を携え、各々二つのかみ合いの一方の連接に役立っている。開位置では、連結部は、ジョイント部分によって支えられた二つの平行な心棒に接触する様になり、伸長変形の増加を受ける。
【００４６】
第１態様に記載される心棒支持部または円筒形の連結部品支持部１３および１５は、第２態様へも適用される。特に、図１８、２１または２３の安定な開位置では、各々かみ合い１または３に固定された、二つの心棒支持部１３および１５はお互いに隣接しており、または中間のジョイント部分２９に対して隣接している。同様に、第１態様に記載される円筒形の連結部品５１も、第２態様に記載される二つの同軸の円筒形の連結部品８１および８２にも適用される。特に、各円筒形の連結部品５１、８１、８２は、二つのかみ合いの一つである１に固定され、他のかみ合い３または中間のジョイント部分２９にくり抜かれた部分を有して形成された第２円筒５５、８５に、弾力性の把持部によって挿入される様に突出している、第１の円筒５３、８３を含む。
【００４７】
図２９〜３３によって示される本発明の第３態様によれば、二つのかみ合い１および３は、心棒５によって連接される。自己閉鎖連結部１２は、二つのかみ合いに連結し、ジョイント心棒５に対しての、図２９によって示される閉位置から図３０によって示される開位置への二つのかみ合いの変位に対する、二つのかみ合いを閉位置に復帰させるための伸長変形による復帰力を発揮する。
【００４８】
かみ合いは、各々かみ合いに固定されたレバーアーム７および９によって変位する。
【００４９】
自己閉鎖連結部１２は、二つのジョイント支持部１３１、１５１（二つの足部１３３、１５３によってかみ合い１、３に固定され、足部１３３、１５３上方のジョイントＡの方向に延びる二つの頭部１３５、１５５によって連接されている）に形成された切込み１８、２０に受容されて、閉位置にある連結部１２を隠す様に（図３１）、二つのかみ合いに連結する。
【００５０】
図３１、３２および３３に於いて明らかな様に、ジョイント心棒５は、ジョイント支持部１３１、１５１の頭部１３５、１５５に固定され、または一体となったヒンジエレメント１３７、１５７に、ジョイントＡの方向に挿入される。
【００５１】
好ましくは、連結部１２はかみ合い１および３に対し、閉位置で使用者の髪を把持する様に配置される。かくして図３０の切込み１８、２０は、各頭部の連接点を形成するジョイント支持部１３１、１５１の足部１３３、１５３の一端で、連結部１２をジョイント心棒５から距離を置く様に形成される。
【００５２】
代わりに、開位置で連結部１２の変形の増加を得るために、ジョイント支持部の各頭部１３５、１５５の連接点を形成するジョイント支持部１３１、１５１の足部１３３、１５３の一端に、切込み１４、１６を形成し、連結部１２を開位置でジョイント心棒５に接触させることが提供される。
【００５３】
この第３態様では、ジョイント支持部１３１、１５１の二つの頭部１３５、１５５も、第１および第２態様に関して上記した（より具体的には図２２〜２５によって示した）ようなジョイント部分による、円筒形の連結部品または二重ジョイントによって連接され得る。かみ合いは、一体または付属のレバーアームを備え得る。
【００５４】
図３４〜３８によって示される本発明の第４態様によれば、二つのかみ合い１および３は、ジョイント心棒５４によって連接される。自己閉鎖連結部１２は、二つのかみ合いに連結し、ジョイント心棒５４に対しての、図３４によって示される閉位置から図３５によって示される開位置への二つのかみ合い１および３の変位に対する伸長変形による、二つのかみ合い１および３を閉位置に復帰させるための復帰力を発揮する。
【００５５】
図３４および３５で明らかな様に、ジョイント心棒５４は、各々かみ合い１および３に固定されたジョイント支持部１３１、１５１に固定されたヒンジエレメント１３８、１５８に挿入される。各支持部のヒンジエレメントの一つは、開口部５２、５６を備え、かみ合いが図３４の閉位置から図３５の開位置へ変位すると、連結部１２を、窪み５２、５６に受容されることによってジョイント心棒５４に交叉させ、開位置に応じて二つのかみ合いを復帰させる復帰力を発揮する。ここで再び、連結部１２は、ジョイント心棒Ａに垂直にジョイントに交叉する。好ましくは、開口部５２、５６は一方の側のみ開放され、反対側は、連結部１２を隠す様にカバー５０によって閉鎖される。
【００５６】
好ましくは、自己閉鎖連結部１２は、二つのジョイント支持部（二つの足部１３３、１５３によってかみ合い１、３に取り付けられ、足部１３３、１５３の上方のジョイントＡの方向に延びる二つの頭部１３５、１５５によって連接されている）１３１、１５１に形成された切込み１８、２０に受容されることによって、二つのかみ合いに連結し、閉位置にある連結部１２を覆う（図３６）。連結部１２の小部分は、開口部５２、５６を通して見られる状態であるが、それは、連結部の遮蔽を増加させる様に減らし得る。
【００５７】
また好ましくは、連結部１２は、かみ合い１および３に対し、使用者の髪を閉位置で把持するように配置される。かくして図３８の切込み１８、２０は、各頭部との連接点を形成するジョイント支持部１３１、１５１の一端で、連結部１２をジョイント心棒５から距離を置く様に形成される。
【００５８】
本発明の第４態様によるヘアピンに提供されるジョイント心棒５４は、例えば本発明の第１および第２態様として記載された型の円筒形の連結部品により交換され得る。同様に、これらの態様に関して記載された型のジョイント部分は、ヘアピンを開く時に、自己閉鎖連結部１２を、このジョイント部分に備えられた二つの心棒または二つの円筒形の連結部品に交叉させ、この開位置で安定化させるに必要な側面の開口部を形成する様にそれを適合させることによって、この第４態様によるヘアピンにも適用される。
【００５９】
レバーアームが省略された本発明の異なった態様に記載されるヘアピンが、特に上記の第４態様に於いて、例えばレバーアームとして役立ち、または弾力性の連結部を隠すために役立つ殻部分を都合良く配置することが可能である骨組みとして考慮され得ることは注目すべきである。図３９は、本発明の第４態様に従った骨組みおよびそれぞれかみ合い１および３に備えられた二つの殻部分を含むヘアピンの態様を示す。
【００６０】
連結部は、自己閉鎖型であるか否かに拘わらず、平滑なまたは円筒形であり、弾性体の材料、例えばゴムまたはポリウレタンで製造される。好ましくは、この材料は、６０と９０の間のショアＡ硬度を有する。
【００６１】
示されてない本発明の態様では、弾性体の材料で製造された連結部を各かみ合いにその末端で固定されたコイルバネと交換することが提供される。コイルバネも環状であって自己閉鎖的で有り得る。
【００６２】
本発明によるヘアピンは、例えば熱可塑性材料の射出によって製造され、レバーアームは、それらが存在するならば、かみ合いと一体または一体でなく形成される。機械加工または熱成形によって前記ヘアピンを製造することも提供される。
【００６３】
本発明によるヘアピンは、かみ合いまたはアームに如何なる美的な形を与えるかに関して大きな自由度をもって、かみ合いまたはレバーアームを配置させ、かくしてスタイルの可能性を増大する。特別の配置では、連結部は、かみ合いに押し付けて髪を把持する様に好都合に使用され、かくして使用者の髪の把持を改良する。更なる配置では、連結部は、開位置でヘアピンを安定化する様に、ジョイントと都合良く交叉させ、かくてかみ合いのレバーアームを省きながら、位置決めの容易性を増大する。特に閉位置では、連結部の遮蔽と相俟って、本発明によるヘアピンは、高い美的価値を有する。
【図面の簡単な説明】
【００６４】
【図１】閉位置に於ける側面図としての、本発明の第１の態様によるヘアピンを示す。
【図２】開位置に於ける側面図としての、本発明の第１の態様によるヘアピンを示す。
【図３】閉位置に於ける背面図としての、本発明の第１の態様によるヘアピンを示す。
【図４】上記図１に対応し、かみ合いに付随したレバーアームによって特徴付けられるヘアピンを示す。
【図５】上記図２に対応し、かみ合いに付随したレバーアームによって特徴付けられるヘアピンを示す。
【図６】上記図３に対応し、かみ合いに付随したレバーアームによって特徴付けられるヘアピンを示す。
【図７】上記図１に対応し、弾力性の把持部を有する円筒形の連結部品によって特徴付けられるヘアピンを示す。
【図８】上記図２に対応し、弾力性の把持部を有する円筒形の連結部品によって特徴付けられるヘアピンを示す。
【図９】上記図３に対応し、弾力性の把持部を有する円筒形の連結部品によって特徴付けられるヘアピンを示す。
【図１０】図１に対応し、かみ合いに対して、閉位置で使用者の髪を把持するように配置された連結部によって特徴付けられるヘアピンを示す。
【図１１】図２に対応し、かみ合いに対して、閉位置で使用者の髪を把持するように配置された連結部によって特徴付けられるヘアピンを示す。
【図１２】図３に対応し、かみ合いに対して、閉位置で使用者の髪を把持するように配置された連結部によって特徴付けられるヘアピンを示す。
【図１３】図１０に対応し、レバーアームの省略によって特徴付けられるヘアピンを示す。
【図１４】図１１に対応し、レバーアームの省略によって特徴付けられるヘアピンを示す。
【図１５】図１２に対応し、レバーアームの省略によって特徴付けられるヘアピンを示す。
【図１６】閉位置に於ける側面図としての、本発明の第２の態様によるヘアピンを示す。
【図１７】開位置に於ける側面図としての、本発明の第２の態様によるヘアピンを示す。
【図１８】閉位置に於ける背面図としての、本発明の第２の態様によるヘアピンを示す。
【図１９】図１６に対応し、二つの円筒形の連結部品を有するジョイントによって特徴付けられるヘアピンを示す。
【図２０】図１７に対応し、二つの円筒形の連結部品を有するジョイントによって特徴付けられるヘアピンを示す。
【図２１】図１８に対応し、二つの円筒形の連結部品を有するジョイントによって特徴付けられるヘアピンを示す。
【図２２】図１６に対応し、ジョイント部分に支えられた２対の同軸の心棒を有する二重ジョイントによって特徴付けられるヘアピンを示す。
【図２３】図１７に対応し、ジョイント部分に支えられた２対の同軸の心棒を有する二重ジョイントによって特徴付けられるヘアピンを示す。
【図２４】図１８に対応し、ジョイント部分に支えられた２対の同軸の心棒を有する二重ジョイントによって特徴付けられるヘアピンを示す。
【図２５】図２４の拡大図である。
【図２６】本発明の第１または第２の態様によるヘアピンのかみ合いへの連結部を固定する手段の詳細を示す断面図である。
【図２７】本発明の第１または第２の態様によるヘアピンのかみ合いへの連結部を固定する第２の手段の平面図である。
【図２８】本発明の第１または第２の態様によるヘアピンのかみ合いへの連結部を固定する第２の手段の断面図である。
【図２９】閉位置に於ける側面図としての、本発明の第３の態様によるヘアピンを示す。
【図３０】開位置に於ける側面図としての、本発明の第３の態様によるヘアピンを示す。
【図３１】閉位置に於ける背面図としての、本発明の第３の態様によるヘアピンを示す。
【図３２】開位置に於ける平面図としての、本発明の第３の態様によるヘアピンを示す。
【図３３】平面図としての、本発明の第３の態様によるヘアピンを構成するかみ合いの一つを示す。
【図３４】閉位置に於ける側面図としての、本発明の第４の態様によるヘアピンを示す。
【図３５】開位置に於ける側面図としての、本発明の第４の態様によるヘアピンを示す。
【図３６】閉位置に於ける背面図としての、本発明の第４の態様によるヘアピンを示す。
【図３７】開位置に於ける上からの図としての、本発明の第４の態様によるヘアピンを示す。
【図３８】平面図としての、本発明の第４の態様によるヘアピンを構成するかみ合いの一つを示す。
【図３９】骨組みおよび二つの殻から成るヘアピンの態様を示す。
【図１】
2007505646.tif 000003
【図２】
2007505646.tif 000004
【図３】
2007505646.tif 000005
【図４】
2007505646.tif 000006
【図５】
2007505646.tif 000007
【図６】
2007505646.tif 000008
【図７】
2007505646.tif 000009
【図８】
2007505646.tif 000010
【図９】
2007505646.tif 000011
【図１０】
2007505646.tif 000012
【図１１】
2007505646.tif 000013
【図１２】
2007505646.tif 000014
【図１３】
2007505646.tif 000015
【図１４】
2007505646.tif 000016
【図１５】
2007505646.tif 000017
【図１６】
2007505646.tif 000018
【図１７】
2007505646.tif 000019
【図１８】
2007505646.tif 000020
【図１９】
2007505646.tif 000021
【図２０】
2007505646.tif 000022
【図２１】
2007505646.tif 000023
【図２２】
2007505646.tif 000024
【図２３】
2007505646.tif 000025
【図２４】
2007505646.tif 000026
【図２５】
2007505646.tif 000027
【図２６】
2007505646.tif 000028
【図２７】
2007505646.tif 000029
【図２８】
2007505646.tif 000030
【図２９】
2007505646.tif 000031
【図３０】
2007505646.tif 000032
【図３１】
2007505646.tif 000033
【図３２】
2007505646.tif 000034
【図３３】
2007505646.tif 000035
【図３４】
2007505646.tif 000036
【図３５】
2007505646.tif 000037
【図３６】
2007505646.tif 000038
【図３７】
2007505646.tif 000039
【図３８】
2007505646.tif 000040
【図３９】
2007505646.tif 000041
【国際調査報告】
2007505646.tif 000042
2007505646.tif 000043
2007505646.tif 000044
2007505646.tif 000045
2007505646.tif 000046
2007505646.tif 000047